(57)【特許請求の範囲】
【請求項１】
金属本体の先端に熱可塑性樹脂製の打球部を有する発射杆が、ロータリソレノイドにより回動軸を中心に往復回動されて、球を遊技領域に向けて発射する遊技機の発射装置において、
ロータリソレノイドと金属本体の間でロータリソレノイドの回動軸の周囲に、断熱材からなるスペーサーを介装して、ロータリソレノイドの熱が発射杆に伝達されるのを防止した遊技機の発射装置。
【請求項２】
ロータリソレノイドの回動軸と金属本体との間に、断熱材からなるブッシュを介装した請求項１に記載の遊技機の発射装置。
【請求項３】
ロータリソレノイド及び発射杆が取り付けられるベース板を、断熱材からなるものとした請求項１又は２に記載の遊技機の発射装置。
【発明の詳細な説明】
【技術分野】
【０００１】
本発明は、発射杆の打球部を合成樹脂により製造した遊技機の発射装置に関する。
【背景技術】
【０００２】
遊技機の発射装置として、例えば特許文献１に開示されているような、発射杆の打球部を合成樹脂により形成したものが知られている。この発射装置は、先端に打球部を有する発射杆がロータリソレノイドの駆動力により回動軸を中心に往復回動して球が遊技領域に向けて発射される。発射杆は、金属本体の先端に一体成形により合成樹脂の被覆層が形成されている。合成樹脂は熱可塑性エラストマーなどの高反発弾性を有するものが採用されているので、打球部は高弾発力でもって球を弾くことができる。
【０００３】
以上のような発射装置においては、多数の球を連続して発射し続けるとロータリソレノイドが過熱されて、この熱が金属製の回動軸と発射杆本体を介して打球部に伝わる。これによって、先端の合成樹脂が熱により軟化されて弾発力が変化して球の飛距離に変動を来すこととなる。熱による球の飛距離の変動は合成樹脂の材質によって変化し、大きくなったり小さくなったりするが、近年の遊技機においては飛距離の安定性が従来にも増して要求されており、球の飛距離に変動を生じない遊技機の発射装置が求められている。
【先行技術文献】
【特許文献】
【０００４】
【特許文献１】特開２００６−１４１６２５号公報
【発明の概要】
【発明が解決しようとする課題】
【０００５】
本発明は、上記した従来の問題点に鑑み、長時間球を発射してロータリソレノイドが過熱された場合にも、球の飛距離の変動が小さい遊技機の発射装置を提供することを課題とする。
【課題を解決するための手段】
【０００６】
上記の課題を解決するためになされた本発明に係る遊技機の発射装置は、金属本体の先端に熱可塑性樹脂製の打球部を有する発射杆が、ロータリソレノイドにより回動軸を中心に往復回動されて、球を遊技領域に向けて発射する遊技機の発射装置において、ロータリソレノイドと金属本体の間でロータリソレノイドの回動軸の周囲に、断熱材からなるスペーサーを介装して、ロータリソレノイドの熱が発射杆に伝達されるのを防止したことを特徴とするものである。
【０００７】
上記した発明において、ロータリソレノイドの回動軸と金属本体との間に、断熱材からなるブッシュを介装することができ、さらに、ロータリソレノイド及び発射杆が取り付けられるベース板を、断熱材からなるものとすることができる。
【発明の効果】
【０００８】
本発明の遊技機の発射装置は、ロータリソレノイドと金属本体の間に、断熱材からなるスペーサーを介装したので、ロータリソレノイドの熱が発射杆に伝達されるのを抑制して、打球部の弾発力が変化するのを防止することができる。さらに、ロータリソレノイドの回動軸と金属本体との間に、断熱材からなるブッシュを介装したり、ロータリソレノイド及び発射杆が取り付けられるベース板を、断熱材からなるものとすることにより、ロータリソレノイドの熱の伝達を、より効果的に抑制することができる。
【図面の簡単な説明】
【０００９】
【図１】第１の実施形態の発射装置の斜視図である。
【図２】第１の実施形態の発射装置の分解斜視図である。
【図３】第２の実施形態の発射装置の分解斜視図である。
【図４】第２の実施形態の発射装置の正面図である。
【図５】図４のＡ−Ａ線断面図である。
【図６】ロータリソレノイドの温度上昇を示すグラフである。
【図７】従来例と本発明の実施例の飛距離の変化を示すグラフである。
【発明を実施するための形態】
【００１０】
以下に、本発明の実施形態に付いて説明する。
図１は、本発明の発射装置を示す図であって、発射装置は合成樹脂より略矩形に形成されたベース板１の裏側にロータリソレノイド２が配設され、ロータリソレノイド２の回動軸２１に発射杆３がベース板１の表側から軸着されている。ロータリソレノイド２は、円形の基部２２を有し、この基部２２がベース板１に設けた取付孔１５に嵌め込まれたうえネジ８により固定されている。
【００１１】
ベース板１の左下部には、斜め上方に向けて断面Ｖ字状の球案内路４１が形成された金属製の球発射レール４が螺着されている。さらにベース板１の所要位置には、レール補助部材１１、球止め部材１２、上側ストッパー１３、下側ストッパー１４が合成樹脂により成形されている。上側ストッパー１３、下側ストッパー１４には、緩衝用のクッション体１３ａ、１４ａがベース板１の裏側から装着されている。
【００１２】
発射杆３は、鉄製などの金属本体３１と、金属本体３１の一方の側部を覆う合成樹脂製の側部被覆体３２と、側部被覆体３２とつながっていて金属本体３１の先端に設けられた合成樹脂製の打球部３３とからなる。打球部３３には、合成樹脂の弾発力を高めるための孔部３４が形成されている。合成樹脂として高弾発性を有する熱可塑性エラストマーを用いることができる。
【００１３】
図２には、第１の実施形態である発射装置を示す。第１の実施形態においては、ロータリソレノイド２の基部２２と発射杆３の金属本体３１との間でロータリソレノイド２の回動軸２１の周囲に、断熱材からなるリング状のスペーサー５が介装されている。断熱材として、エポキシガラスを用いることができる。エポキシガラスとは、エポキシ樹脂にガラス不織布を織り込んで積層プレスしてつくられた材料である。なお、この実施形態においては、回動軸２１はＤカット軸に形成され、金属本体３１にはＤカット孔３５が設けられており、Ｄカット孔３５にＤカット軸が嵌め込まれたうえに、座付きナット６により発射杆３が締め付け固定されている。以上のように、ロータリソレノイド２の基部２２と金属本体３１との間に、断熱材からなるスペーサー５を介装したので、ロータリソレノイド２が過熱したときにも、基部２２から金属本体３１への熱の伝達を防止して、打球部３３の弾発力の変化を小さいものに抑えることができる。
【００１４】
図３には、第２の実施形態の発射装置を示す。第２の実施形態においても、ロータリソレノイド２の基部２２と発射杆３の金属本体３１との間でロータリソレノイド２の回動軸２１の周囲に、断熱材からなるリング状のスペーサー５が介装されている。そして、金属本体３１にはＤカット穴である軸孔３６が設けられ、この軸孔３６に断熱材からなるブッシュ７が介装されている。ブッシュ７は、外形が軸穴３６に対応してＤカット状に形成され、中心に回動軸２１が嵌め込まれるＤカット孔７１を有している。軸穴３６にブッシュ７を嵌め込んだうえに、Ｄカット孔７１に回動軸２１を差し込むことにより、回動軸２１と金属本体３１との直接接触を遮断して、ロータリソレノイド２の熱が回動軸２１から金属本体３１に伝わるのを防止することができる。なお、ブッシュ７の材質として前記エポキシガラスを用いることができる。
【００１５】
また、ベース板１として金属製のものを用いることもできるが、ポリアセタール（ＰＯＭ）等の合成樹脂やエポキシガラスなどの断熱材製のものを用いることによって、より効果的にロータリソレノイド２の熱が発射杆３の打球部３３に伝達されるのを防止することができる。さらに、ロータリソレノイド２の外部にフィンを多数枚配設して空気との接触面積を増やすことで放熱を促すこともできる。
【００１６】
以上のように構成された発射装置においては、遊技が開始されると球が球発射レール４の所定位置に載置されるとともに、ロータリソレノイド２が通電されて発射杆３が上側ストッパー１３と下側ストッパー１４との間を回動して、球が遊技領域に向けて発射される。長時間打ち続けるとロータリソレノイド２は過熱されて高温の状態となるが、ロータリソレノイド２の基部２２と発射杆３の金属本体３１との間には、断熱材製のスペーサー５が介装され、ロータリソレノイド２の回動軸２１と金属本体３１との間には、断熱材製のブッシュ７が介装されているので、ロータリソレノイド２の熱が発射杆３に伝達されるのを抑制することができる。よって、発射杆先端の打球部３３が加熱されて球の飛距離が変動するという問題を防止することができる。
【００１７】
以下に、実施例について説明する。
打球部３３を構成する熱可塑性樹脂としてエステル系エラストマーを用いて、従来の発射装置と本発明に係る発射装置の球の飛距離の変化を測定した。従来の発射装置においてスペーサー５は鉄製であり、本発明の発射装置においてはスペーサー５はエポキシガラス製である。ブッシュ７は使用していない。温度測定は、温度センサーをロータリソレノイド２のケースに貼り付けて行い、球発射に伴うロータリソレノイド２の温度上昇を測定した。また、電圧と電流を調整して球の初期の飛距離を１６００ｍｍ目標とし、この飛距離の変化を測定した。
【００１８】
ロータリソレノイド２の温度変化を図６に示すが、７０分の球の発射で温度が２５℃から３８℃まで上昇した。これに伴い従来の発射装置においては、球の飛距離が１５９０ｍｍから１６４０ｍｍへと５０ｍｍも増大した。これに対して本発明の発射装置においては、１５９０ｍｍから約１６００ｍｍへと増加したが、その増加分は１０ｍｍと、従来に対して約１／５という小さい飛距離の変化であった。本発明の発射装置は、飛距離の安定性にたいへん優れていることを確認した。
【符号の説明】
【００１９】
１  ベース板、２  ロータリソレノイド、３  発射杆、５  スペーサー、７  ブッシュ、２１  回動軸、３１  金属本体、３３  打球部
【図１】
0005467318.tif 000002
【図２】
0005467318.tif 000003
【図３】
0005467318.tif 000004
【図４】
0005467318.tif 000005
【図５】
0005467318.tif 000006
【図６】
0005467318.tif 000007
【図７】
0005467318.tif 000008